(57)【要約】      （修正有）【課題】水素水の水面をパック呑口頂部まで上昇させるユーザ動作を簡便かつ確実なものとし、パック内での空気残留を的確に抑制可能とする水素水パックを提供する。【解決手段】水素水パック１において、少なくとも呑口部２を含むパック頂部４を透明材５で構成する。パック頂部４は、呑口部２と、この呑口部２の頂部３において内空７をパック外の空間と遮断するためのキャップ９が備わっている。【選択図】図１
0003203597.tif 000002
【実用新案登録請求の範囲】
【請求項１】
内空に水素水を収容するパックであって、少なくとも呑口部を含む所定箇所が透明材で構成されていることを特徴とする水素水パック。
【考案の詳細な説明】
【技術分野】
【０００１】
本考案は水素水パックに関し、具体的には、水素水の水面をパック呑口頂部まで上昇させるユーザ動作を簡便かつ確実なものとし、パック内での空気残留を的確に抑制可能とする技術に関する。
【背景技術】
【０００２】
一定量以上の水素が含まれる水を水素豊富水（以下、水素水）と呼ぶ。この水素水は、活性酸素を人体から除去する効果が期待されるとして、近年人気を博している。その仕組みは、水素水がいわゆる悪玉の結成酸素と結合することで、これを水に変換してしまうといったものになる。
【０００３】
但し、特段の配慮を行わなければ水素は水素水から迅速に抜け出してしまう懸念や、空気と接触して還元力を失いやすいといった懸念が存在する。そこで、そうした懸念に対処することを目的とした様々な技術が提案されてきた。
【０００４】
例えば、ペットボトルに充填しても、該ペットボトルから水素がほとんど抜け出ることのないペットボトルに充填可能な飲用水素水の製造方法を提供するとの目的で、炭酸カルシウム０．５〜３．０重量％、水酸化カルシウム５．０〜１０．０重量％および酸化マグネシウム０．５〜３．０重量％と精製水８４．０〜９４．０重量％とを混合して白濁分散液を調製すると共に、該白濁分散液にリン酸３５．０〜５５．０重量％と精製水４５．０〜６５．０重量％を混合したリン酸水溶液を添加混合して得られた混合溶液に、クエン酸５．０〜１３．０重量％と精製水８７．０〜９５．０重量％を混合したクエン酸水溶液を添加混合してコロイド状の酸性水溶液とする第１工程と、前記第１工程で製造されたコロイド状の酸性水溶液と、水酸化カリウム３．０〜７．０重量％、水酸化ナトリウム２．０〜６．０重量％および精製水８７．０〜９５．０重量％を混合して得られたアルカリ水溶液とを混合して、ｐＨが５〜８の範囲である混合溶液を製造する第２工程と、前記第２工程で製造した混合溶液を、陰極水の酸化還元電位が−５００ｍＶ以下になるまで電気分解して水素水原液を製造する第３工程と、前記第３工程により製造された水素水原液を、ミネラルウォーターで８０〜１２０倍希釈して、水素含有量を０．０１〜０．８ｍｇ／ｌの範囲の飲用水素水を製造する第４工程とにより製造することを特徴とするペットボトルに充填可能な飲用水素水の製造方法（特許文献１参照）などが提案されている。
【先行技術文献】
【特許文献】
【０００５】
【特許文献１】特開２０１２−１３９６４５号公報
【考案の概要】
【考案が解決しようとする課題】
【０００６】
ところで、一般に市販されている水素水パックは、その使用方法として、飲み残しがある場合にはパックを側方から押さえて水素水を呑口付近まで上昇させ、パック内の空気を出来るだけ抜いた状態で閉栓する、といった指示が示されていることがある。
【０００７】
こうした水素水パックの使用者が、この指示に従って水素水の水面をパック呑口まで上昇させようとしたとする。この時、水素水の水面を上昇させすぎると水素水がパック外に溢れ、一方、慎重になりすぎて水面を十分に上昇させないと、パック内に空気が残留してしまう。
【０００８】
そこで本考案は、上記のような課題に鑑みなされたものであって、水素水の水面をパック呑口頂部まで上昇させるユーザ動作を簡便かつ確実なものとし、パック内での空気残留を的確に抑制可能とすることを目的とする。
【課題を解決するための手段】
【０００９】
上記のような課題を解決する本考案の水素水パックは、内空に水素水を収容するパックであって、少なくとも呑口部を含む所定箇所が透明材で構成されていることを特徴とする。
【考案の効果】
【００１０】
本考案によれば、水素水の水面をパック呑口頂部まで上昇させるユーザ動作を簡便かつ確実なものとし、パック内での空気残留を的確に抑制できる。
【図面の簡単な説明】
【００１１】
【図１】本実施形態の水素水パックの全体構成を示す図である。
【図２】本実施形態の水素水パックでのユーザ操作に伴う状態遷移例を示す図である。
【考案を実施するための形態】
【００１２】
以下、図面を参照しながら本考案の実施の形態について説明する。図１は本実施形態の水素水パックの全体構成を示す図である。本実施形態における水素水パック１は、水素水の水面をパック呑口頂部まで上昇させるユーザ動作を簡便かつ確実なものとし、パック内での空気残留を的確に抑制可能とするものである。
【００１３】
本実施形態における水素水パック１は、概略形状自体は一般的なパックであり、略矩形の底部８とこの底部８の外周から立設された側部６、および側部６の上端部であるパック頂部４から主に成り立っている。このような構成の水素水パック１の内空７に水素水１０が収容される。
【００１４】
また、パック頂部４は、当該水素水パック１のユーザが水素水を飲用するための呑口部２と、この呑口部２の頂部３において内空７をパック外の空間と遮断するためのキャップ９が備わっている。キャップ９は、例えば、呑口部２の外周面に備わるねじ溝と螺合して、内空７を水密に閉鎖する閉栓となる。勿論、この螺合を解けば呑口部２は開口する。こうした開閉機構自体は既存のものを選択して採用すればよい。
【００１５】
ここで本実施形態の水素水パック１に特徴的な構成としては、少なくとも呑口部２が透明材５で構成されている点である。呑口部２と共に、キャップ９を含むパック頂部４も透明材５で構成されているとすれば更に好適である。透明材５としては、合成樹脂のうち透明なもので、ユーザによる押圧動作などに対して自身が柔軟に凹む適宜な塑性と、水素水パック１として必要な構造を維持しうる靱性、および適宜な水密性、機密性を備えるものあればいずれでも採用出来る。
【００１６】
このことは、図２で示すように、側部６をユーザが押し込む動作を行い、そのことで内空７の容積が低減し、結果として水素水１の水面１１が、内空７を呑口頂部３に向けて上昇する際、少なくとも呑口部２に水面１１が達した以降は、水面１１の位置が目視可能となることを意味する。また、キャップ９を含むパック頂部４も透明材５で構成されている場合、呑口部２に達する以前から、水素水１の水面１１の位置を目視確認可能となる。
【００１７】
従って、水素水１の水面１１を呑口頂部３まで上昇させるユーザ動作は、上述のように確実な目視確認を踏まえた簡便で確実なものとなる。そのため、水素水パック１の内空７を水素水１で満たし、内空７における空気残留を的確に抑制出来ることにつながる。
【００１８】
以上、本実施形態の水素水パックは、水素水の水面をパック呑口頂部まで上昇させるユーザ動作を簡便かつ確実なものとし、パック内での空気残留を的確に抑制可能である。
【００１９】
以上、本考案を実施するための最良の形態などについて具体的に説明したが、本考案はこれに限定されるものではなく、その要旨を逸脱しない範囲で種々変更可能である。
【符号の説明】
【００２０】
１  水素水パック
２  呑口部
３  呑口頂部
４  パック頂部
５  透明材
６  側部
７  内空
８  底部
９  キャップ
１０  水素水
１１  水面
【図１】
0003203597.tif 000003
【図２】
0003203597.tif 000004